【事件の表示】
　特願２００６−３２８６７６「パンツ型使い捨ておむつ」拒絶査定不服審判事件〔平成２０年６月１９日出願公開、特開２００８−１３６７９３〕について、次のとおり審決する。
【結　論】
　本件審判の請求は、成り立たない。
【理　由】
　１．手続の経緯
　本願は、平成１８年１２月５日の出願であって、平成２２年１２月２日付けで拒絶査定がなされ、これに対し、平成２３年２月２２日付けで拒絶査定不服審判の請求がなされ、その後、平成２４年２月２２日付けで当審から拒絶理由が通知され、平成２４年４月２７日付けで特許請求の範囲を対象とする手続補正がなされたものである。
　
　２．本願発明
　本願の請求項１ないし４に係る発明は、平成２４年４月２７日付けで補正された特許請求の範囲、明細書及び図面の記載から見て、本願の請求項１ないし４に記載された事項によって特定される発明と認める。その請求項１の記載は、次のとおりである。
「吸収性コアを含む吸収性本体と吸収性本体の非肌当接面側に接合された外包材とを備え、外包材は長手方向に腹側部、股下部及び背側部に区分されており、外包材における腹側部及び背側部の両側縁部同士が接合されて一対のサイドシール部、ウエスト開口部及び一対のレッグ開口部が形成されているパンツ型使い捨ておむつであって、
　吸収性本体の長手方向端部は、外包材の長手方向端部よりも長手方向内方に後退しており、
　外包材は、外層シート、内層シート及び両シート間に配設された複数本の弾性部材から形成されており、
　外包材の腹側部及び背側部における胴回り部及びウエスト部には、その全周に亘って前記弾性部材が配設されることにより、それぞれ、胴回りギャザー及びウエストギャザーが設けられており、
　胴回りギャザーは、胴回り部の全周に亘って、複合伸縮部から形成されており、ウエストギャザーは、少なくともウエスト部の幅方向外側部において、複合伸縮部から形成されており、
　複合伸縮部は、外層シート及び内層シートが複合伸縮部の伸縮方向及びそれに直交する方向において間欠的な接合部により互いに接合され、弾性部材が該接合部を通らないように配されると共に弾性部材の両端部を除いた部分において外層シート及び内層シートに固定されておらず、外層シート及び内層シートそれぞれが各々複数本の弾性部材に亘って連続して延びる複数本の襞を形成することにより構成されており、前記弾性部材の両端部は、一対のサイドシール部において外層シートと内層シートとの間に固定されており、
　複数本の前記襞は、ウエスト部の幅方向外側部及び胴回り部の幅方向外側部において、外包材の長手方向に沿って、ウエスト部の外端部から胴回り部の内端部に亘って連続的に延びており、
　吸収性本体は外包材の内層シートに胴周り部の複合伸縮部と部分的に重なるように接合されており、斯かる吸収性本体の内層シートへの接合は、外包材を伸長状態とし且つ該外包材が縮まないように該伸長状態を維持したままで、該外包材の内層シートに吸収性本体を接合することによりなされており、
　ウエスト部の幅方向中央部において、複数本の前記弾性部材は、伸長状態で、外層シート及び内層シートの両方又は一方に接着剤で固定されており、該接着剤は、複数本の該弾性部材を外包材の長手方向に跨ぐように面状に塗工されているパンツ型使い捨ておむつ。」
（以下、請求項１に記載された事項によって特定される発明を「本願発明」という。）
　
　３．当審が通知した拒絶理由
　当審が通知した拒絶理由は、大要、次のとおりである。
「この出願の請求項１ないし４に係る発明は、その出願前日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　《引用刊行物一覧》
　　引用例１．特開２００４−８９４０３号公報
　　引用例２．特開２００４−８９４７９号公報
　　引用例３．特開２００５−８０８５９号公報
　　引用例４．特開平６−９０９７９号公報　　　」
　
　４．引用例の記載事項
　上記拒絶理由に引用した引用例１（特開２００４−８９４０３号公報）には、次の記載がある。
　「【０００１】【発明の属する技術分野】本発明は、排泄物を吸収、保持するパンツ型の使い捨て着用物品に関する。
【０００２】【従来の技術】特開２０００−１０７２２５公報は、透液性表面シートと不透液性裏面シートとの間に吸液性コアが介在し、前後胴周り域の側縁近傍が固着されて胴周り開口と一対の脚周り開口とが形成され、胴周り開口の縁部に位置して胴周り方向へ収縮可能に取り付けられた複数条の胴周り用弾性部材と、脚周り開口の縁部に位置して脚周り方向へ収縮可能に取り付けられた複数条の脚周り用弾性部材と、胴周り用弾性部材と脚周り開口との間に位置して胴周り方向へ収縮可能に取り付けられた複数条の補助弾性部材とを有するパンツ型の使い捨ておむつを開示している。
【０００３】補助弾性部材は、縦方向へ所与寸法離間して前胴周り域に配置され、前胴周り域の側縁近傍に位置する両端部と、両端部の間に位置してコアを横切る中央部とを有する。胴周り弾性部材の両側部は、表面シートと裏面シートとの間に介在し、それらシートに固着されている。補助弾性部材の中央部は、裏面シートとコアとに固着されておらず、それらから遊離している。このおむつは、コアを横切る補助弾性部材の中央部が裏面シートとコアとに固着されていないので、補助弾性部材が胴周り方向内方へ収縮したとしても、補助弾性部材の中央部が延びる裏面シートの部位にギャザーが生じ難く、裏面シートの肌触りが滑らかになるという効果を有する。
【０００４】【発明が解決しようとする課題】前記公報に開示のおむつでは、その着用中に着用者の腹部の動きが前胴周り域に延びる補助弾性部材に伝わってそれら補助弾性部材の中央部が縦方向へずれ動き、それら補助弾性部材が前胴周り域の一箇所に集まる場合がある。補助弾性部材が一箇所に集まると、集まった箇所においてそれら補助弾性部材が束となり、補助弾性部材の伸長応力が増加して箇所において着用者の腹部が必要以上に締め付けられてしまう。また、補助弾性部材が一箇所に集まると、それら補助弾性部材の収縮力を利用して前胴周り域に位置するコアの全域を着用者の腹部に押し当てることができず、前胴周り域に位置するコアの排泄物吸収機能を十分に利用することができない場合がある。
【０００５】本発明の課題は、補助弾性部材が一箇所に集まることはなく、前後胴周り域に位置する液吸収パネルの排泄物吸収機能を十分に利用することができるパンツ型の使い捨て着用物品を提供することにある。」
　「【０００６】【課題を解決するための手段】前記課題を解決するための本発明の前提は、前後胴周り域およびそれら胴周り域の間に位置する股下域を画成するベースシートと、前記ベースシートの前後胴周り域間に延びていて該ベースシートの内側に固着された液吸収パネルとから構成され、前記ベースシートの前後胴周り域の側縁近傍が連結されて胴周り開口と一対の脚周り開口とが形成され、前記ベースシートの前後胴周り域における前記胴周り開口の縁部には、胴周り方向へ延びる胴周り用弾性部材が収縮可能に取り付けられ、前記ベースシートの前後胴周り域のうちの少なくとも該前胴周り域における前記胴周り用弾性部材と前記脚周り開口との間には、縦方向へ所与寸法離間して胴周り方向へ延びる複数条の補助弾性部材が収縮可能に取り付けられたパンツ型の使い捨て着用物品である。
【０００７】前記前提における本発明の特徴は、前記ベースシートが、前記パネルの側に位置する第１シートと、前記第１シートの外側に位置する第２シートとから形成され、前記補助弾性部材が、前記胴周り用弾性部材の直下に位置して前記第１および第２シートの間に介在する複数条の第１弾性部材と、前記第１弾性部材の直下に位置して前記第１および第２シートの間に介在する複数条の第２弾性部材とから形成され、前記第１および第２弾性部材が、前記ベースシートの側縁近傍に延びる両端部と、前記パネルを横切る中央部と、前記パネルの両側部の外側に位置して前記両端部と前記中央部との間に延びる残余部とを有し、前記第１および第２弾性部材の両端部と前記第１弾性部材の中央部とが、前記第１シートと前記第２シートとのうちの少なくとも一方に固着され、前記第１および第２弾性部材の残余部と前記第２弾性部材の中央部とが、前記第１シートと前記第２シートとから遊離していることにある。」
　「【００１４】図１，２は、一例として示す着用物品１Ａの斜視図と、前後胴周り域４，６の連結を解除した状態で示す図１の物品１Ａの部分破断展開平面図とであり、図３，４は、図２のＩ−Ｉ線矢視断面図と、図２のII−II線端面図とである。図１，２では、胴周り方向を矢印Ｘ、縦方向を矢印Ｙで示し、脚周り方向を矢印Ｚ（図１のみ）で示す。なお、内外側シート１３，１４（第１および第２シート）やインジケーションシート１８、表裏面シート３０，３１の内面とは、コア３２に対向する面をいい、それらシート１３，１４，１８，３０，３１の外面とは、コア３２に非対向の面をいう。
【００１５】物品１Ａは、ベースシート２と、ベースシート２の内側に固着された液吸収パネル３とから構成されている。ベースシート２は、互いに対向する前胴周り域４および後胴周り域６と、それら胴周り域４，６の間に位置する股下域５とを画成している。パネル３は、ベースシート２の前後胴周り域４，６間に延び、ベースシート２の前後胴周り域４，６に位置して胴周り方向へ延びる両端部７と、ベースシート２の前後胴周り域４，６間に延びる両側部８とを有する。
【００１６】前後胴周り域４，６では、パネル３の両側部８の外側に位置するベースシート２の側縁９が合掌状に重なり合い、ベースシート２の側縁９近傍が縦方向へ間欠的に並ぶ多数の熱融着線１０を介して連結されている。物品１Ａは、パンツ型を呈し、胴周り開口１１とその下方に一対の脚周り開口１２とを有する。股下域５は、物品１Ａの胴周り方向内方へ向かって弧を画いている。ベースシート２は、図２に示すように、その平面形状が実質的に砂時計型を呈する。
………
【００２１】第２弾性部材２１の両端部２３は、内側シート１３の外面と外側シート１４の内面とにホットメルト型接着剤３８を介して固着されている。第２弾性部材２１の中央部２５と残余部２７とは、内側シート１３と外側シート１４とに固着されておらず、それらシート１３，１４から遊離している。なお、第２弾性部材２１の両端部２３は、内側シート１３と外側シート１４との少なくとも一方に固着されていればよい。」
　「【００３０】図５，６は、他の一例として示す着用物品１Ｂの斜視図と、前後胴周り域４，６の連結を解除した状態で示す図５の物品１Ｂの部分破断展開平面図とであり、図７は、図６のＩＩＩ−ＩＩＩ線端面図である。図５，６では、胴周り方向を矢印Ｘ、縦方向を矢印Ｙで示し、脚周り方向を矢印Ｚ（図５のみ）で示す。
【００３１】物品１Ｂは、ベースシート２と、ベースシート２の内側に固着された液吸収パネル３とから構成され、胴周り開口１１とその下方に一対の脚周り開口１２とを有する点において図１の物品１Ａと同一である。物品１Ｂでは、ベースシート２が互いに対向する前後胴周り域４，６およびそれら胴周り域４，６の間に位置する股下域５を画成し、パネル３がベースシート２の前後胴周り域４，６間に延びている。パネル３は、ベースシート２の前後胴周り域４，６に位置して胴周り方向へ延びる両端部７と、ベースシート２の前後胴周り域４，６間に延びる両側部８とを有する。
【００３２】この物品１Ｂが図１のそれと異なる点は、第１および第２弾性部材２０，２１の間に位置して内側シート１３（第１シート）と外側シート１４（第２シート）とを固着する多数の固着部３３がそれら弾性部材２０，２１の残余部２６，２７が延びる部位に形成され、さらに、第１および第２弾性部材２０，２１の間に位置して内側シート１３と外側シート１４とを固着する多数の固着部３４が前後胴周り域４，６に延びるパネル３の両側部８に位置していることにある。ベースシート２を形成する内側シート１３と外側シート１４とには、疎水性繊維不織布が使用されている。固着部３３，３４では、内側シート１３と外側シート１４とを形成する不織布の構成繊維どうしが互いに融着している。
【００３３】ベースシート２の前後胴周り域４，６における胴周り開口１１の縁部１１ａには、胴周り方向へ延びる複数条の胴周り用弾性部材１５が収縮可能に取り付けられている。ベースシート２の前後胴周り域４，６における胴周り用弾性部材１５と脚周り開口１２との間には、縦方向へ所与寸法離間して胴周り方向へ延びる複数条の補助弾性部材１６が収縮可能に取り付けられている。……
【００３４】胴周り用弾性部材１５は、内側シート１３と外側シート１４との間に介在し、それらシート１３，１４の内外面に間欠的に塗布されたホットメルト型接着剤３５を介して固着されている。……
【００３５】補助弾性部材１６は、胴周り用弾性部材１５の直下に位置する複数条の第１弾性部材２０と、第１弾性部材２０の直下に位置する複数条の第２弾性部材２１とから形成されている。第１および第２弾性部材２０，２１は、内側シート１３と外側シート１４との間に介在している。
【００３６】第１および第２弾性部材２０，２１は、ベースシート２の側縁９近傍に延びる両端部２２，２３と、パネル３を横切る中央部２４，２５と、パネル３の両側部８の外側に位置して両端部２２，２３と中央部２４，２５との間に延びる残余部２６，２７とを有する。第１および第２弾性部材２０，２１の両端部２２，２３は、内側シート１３の外面と外側シート１４の内面とに固着されている。第１弾性部材２０の中央部２４は、内側シート１３の外面と外側シート１４の内面とに固着されている。第１および第２弾性部材２０，２１の残余部２６，２７と第２弾性部材２１の中央部２５とは、内側シート１３と外側シート１４とに固着されておらず、それらシート１３，１４から遊離している。
【００３７】パネル３は、透液性表面シート３０と、不透液性裏面シート３１と、表裏面シート３０，３１の間に介在する吸液性コア３２とから形成されている。パネル３では、それを形成する裏面シート３１の外面全域が内側シート１３の内面に間欠的に塗布されたホットメルト型接着剤を介して固着されている。……
【００３８】物品１Ｂでは、第１弾性部材２０の中央部２４が前後胴周り域４，６において内外側シート１３，１４に固着されているので、物品１Ｂの着用中に着用者の腹部や臀部の動きが第１弾性部材２０に伝わったとしても、第１弾性部材２０が縦方向へずれ動くことはなく、第１弾性部材２０が前後胴周り域４，６において一箇所に集まることはない。また、第１弾性部材２０の中央部２４がパネル３の両端部７から外れてしまうことはなく、胴周り方向内方へ収縮した第１弾性部材２０の中央部２４がパネル３の両端部７を着用者の腹部や臀部に向かって押し当てるように作用するので、前後胴周り域４，６に位置するパネル３の両端部７における排泄物吸収機能が低下することはない。
【００３９】弾性部材２０，２１の残余部２６，２７が延びる部位では、内外側シート１３，１４が多数の固着部３３を介して固着されているので、部位において第１および第２弾性部材２０，２１が縦方向へずれ動くことはない。物品１Ｂでは、胴周り方向内方へ収縮した第１および第２弾性部材２０，２１が前後胴周り域４，６に位置するパネル３の全域を着用者の腹部や臀部に向かって押し当てるように作用するので、前後胴周り域４，６に位置するパネル３の排泄物吸収機能が低下することはない。」
　図１、２、５、６から、液吸収パネル３の両端部７は、ベースシート２の長手方向端部よりも長手方向内方に後退していること、及び複数本の胴周り用弾性部材１５及び複数本の補助弾性部材１６（第１及び第２弾性部材２０、２１）は、前後胴周り域４，６の全周に亘って配設されていることが見て取れる。
　段落【００２１】、【００３２】、【００３６】の記載、及び図１〜７から、パンツ型の使い捨て着用物品１Ｂの第１弾性部材２０及び第２弾性部材２１は、その両端部２２、２３が、前後胴周り域４、６の側縁９において、内側シート１３の外面と外側シート１４の内面とに固着されていることが分かる。また、残余部２６、２７の部分においては、第１及び第２弾性部材２０、２１の伸縮方向及びそれに直交する方向において、内側シート１３と外側シート１４とを間欠的に固着する多数の固着部３３が形成されており、第１及び第２弾性部材２０、２１は、固着部３３の間を通って、内側シート１３及び外側シート１４に固定されておらず、内側シート１３及び外側シート１４から遊離していることが分かる。さらに、第１弾性部材２０の中央部２４は、内側シート１３の外面と外側シート１４の内面とに固着されていること、及び第２弾性部材２１の中央部２５は、内側シート１３及び外側シート１４に固定されておらず、内側シート１３及び外側シート１４から遊離していることが分かる。
　
　５．引用発明
　以上の記載及び図１ないし７からみて、引用例１には、次の発明が記載されている（以下、「引用発明」という。）。
　　《引用発明》
　前胴周り域４、後胴周り域６およびそれら胴周り域４、６の間に位置する股下域５を画成するベースシート２と、前後胴周り域４、６間に延びていてベースシート２の内側に固着された、吸液性コア３２を含む液吸収パネル３とから構成され、ベースシートの前後胴周り域４、６の側縁９近傍が連結されて胴周り開口１１とその下方に一対の脚周り開口１２とを有するパンツ型の使い捨て着用物品１Ｂであって、
　液吸収パネル３の両端部７は、ベースシート２の長手方向端部よりも長手方向内方に後退しており、
　ベースシート２は、液吸収パネル３の側に位置する内側シート１３と、内側シート１３の外側に位置する外側シート１４とから形成され、ベースシート２の内側シート１３と外側シート１４との間に介在して、複数本の胴周り用弾性部材１５及び複数本の補助弾性部材１６が配設されており、
　ベースシート２の前後胴周り域４、６における胴周り開口１１の縁部１１ａには、前後胴周り域４、６の全周に亘って、胴周り方向へ延びる複数条の胴周り用弾性部材１５が収縮可能に取り付けられ、
　ベースシート２の前後胴周り域４、６における胴周り用弾性部材１５と脚周り開口１２との間には、前後胴周り域４、６の全周に亘って、縦方向へ所与寸法離間して胴周り方向へ延びる複数条の補助弾性部材１６が収縮可能に取り付けられ、
　胴周り用弾性部材１５は、内側シート１３と外側シート１４との間に介在し、それらシート１３、１４の内外面に間欠的に塗布されたホットメルト型接着剤３５を介して固着されており、
　補助弾性部材１６は、胴周り用弾性部材１５の直下に位置する複数条の第１弾性部材２０と、第１弾性部材２０の直下に位置する複数条の第２弾性部材２１とから形成されており、
　第１および第２弾性部材２０、２１は、ベースシート２の側縁９近傍に延びる両端部２２、２３と、パネル３を横切る中央部２４、２５と、パネル３の両側部８の外側に位置して両端部２２、２３と中央部２４、２５との間に延びる残余部２６、２７とを有し、
　第１及び第２弾性部材２０、２１の、ベースシート２の側縁９近傍に延びる両端部２２、２３は、内側シート１３の外面と外側シート１４の内面とに固着され、
　残余部２６、２７の部分においては、第１及び第２弾性部材２０、２１の伸縮方向及びそれに直交する方向において、内側シート１３と外側シート１４とを間欠的に固着する多数の固着部３３が形成されており、
　第１および第２弾性部材２０、２１の残余部２６、２７は、内側シート１３と外側シート１４とに固着されておらず、それらシート１３、１４から遊離しており、
　第１弾性部材２０の中央部２４は、内側シート１３の外面と外側シート１４の内面とに固着され、
　第２弾性部材２１の中央部２５は、内側シート１３と外側シート１４とに固着されておらず、それらシート１３、１４から遊離しており、
　液吸収パネル３は、その裏面シート３１の外面全域が内側シート１３の内面に間欠的に塗布されたホットメルト型接着剤を介して固着されている、
　パンツ型の使い捨て着用物品１Ｂ。」
　
　
　６．対比
　本願発明と引用発明とを対比すると、引用発明の「前胴周り域４」は、本願発明の「腹側部」に相当し、同様に、
　「後胴周り域６」は「背側部」に、
　「股下域５」は「股下部」に、
　「ベースシート２」は「外包材」に、
　「ベースシート２の内側に固着された」は「吸収性本体の非肌当接面側に接合された」に、
　「吸液性コア３２」は「吸収性コア」に、
　「液吸収パネル３」は「吸収性本体」に、
　「前後胴周り域４、６の側縁９」は「腹側部及び背側部の両側縁部」に、
　「側縁９近傍が連結され」は「両側縁部同士が接合され」に、
　「胴周り開口１１」は「ウエスト開口部」に、
　「一対の脚周り開口１２」は「一対のレッグ開口部」に、
　「パンツ型の使い捨て着用物品１Ｂ」は「パンツ型使い捨ておむつ」に、
　「液吸収パネル３の両端部７」は「吸収性本体の長手方向端部」に、
　「内側シート１３」は「内層シート」に、
　「外側シート１４」は「外層シート」に、
　「複数本の胴周り用弾性部材１５及び複数本の補助弾性部材１６」は「複数本の弾性部材」に、
　「胴周り開口１１の縁部１１ａ」は「ウエスト部」に、
　「胴周り用弾性部材１５と脚周り開口１２との間」は「胴回り部」に、
それぞれ相当する。
　また、引用発明の「ベースシート２の内側に固着された」「液吸収パネル３」は、本願発明の「吸収性本体の非肌当接面側に接合された外包材」との要件を満たす。
　引用発明の「前後胴周り域４、６の側縁９近傍が連結され」た部分は、本願発明の「一対のサイドシール部」に相当する。
　引用発明の「ベースシート２は、液吸収パネル３の側に位置する内側シート１３と、内側シート１３の外側に位置する外側シート１４とから形成され、ベースシート２の内側シート１３と外側シート１４との間に介在して、複数本の胴周り用弾性部材１５及び複数本の補助弾性部材１６が配設されており」は、本願発明の「外包材は、外層シート、内層シート及び両シート間に配設された複数本の弾性部材から形成されており」との要件を満たす。
　引用発明の「ベースシート２の前後胴周り域４、６における胴周り開口１１の縁部１１ａには、前後胴周り域４，６の全周に亘って、胴周り方向へ延びる複数条の胴周り用弾性部材１５が収縮可能に取り付けられ」は、本願発明の「外包材の腹側部及び背側部における」「ウエスト部には、その全周に亘って前記弾性部材が配設されることにより」「ウエストギャザーが設けられており」との要件を満たす。
　引用発明の「ベースシート２の前後胴周り域４、６における胴周り用弾性部材１５と脚周り開口１２との間には、前後胴周り域４，６の全周に亘って、縦方向へ所与寸法離間して胴周り方向へ延びる複数条の補助弾性部材１６が収縮可能に取り付けられ」は、本願発明の「外包材の腹側部及び背側部における胴回り部」「には、その全周に亘って前記弾性部材が配設されることにより」「胴回りギャザーが設けられており」との要件を満たす。
　引用発明の第１及び第２弾性部材２０、２１（補助弾性部材１６）と、本願発明の胴周り部の複合伸縮部は、いずれも「胴回りギャザー」の伸縮部を構成するものである。そして、引用発明の第１及び第２弾性部材２０、２１についての「パネル３を横切る中央部２４、２５」「を有し」は、本願発明の胴周り部の複合伸縮部についての「吸収性本体は外包材の内層シートに」「部分的に重なるように接合されており」との要件を満たす。したがって、引用発明の第１及び第２弾性部材２０、２１についての「パネル３を横切る中央部２４、２５」「を有し」と、本願発明の「吸収性本体は外包材の内層シートに胴周り部の複合伸縮部と部分的に重なるように接合されており」とは、「吸収性本体は外包材の内層シートに胴回りギャザーの伸縮部と部分的に重なるように接合されており」という限りにおいて一致する。
　引用発明の第１及び第２弾性部材２０、２１についての「ベースシート２の側縁９近傍に延びる両端部２２、２３は、内側シート１３の外面と外側シート１４の内面とに固着され」は、本願発明の複合伸縮部についての「弾性部材の両端部は、一対のサイドシール部において外層シートと内層シートとの間に固定されており」との要件を満たす。
　引用発明の第１及び第２弾性部材２０、２１についての「残余部２６、２７の部分においては、第１及び第２弾性部材２０、２１の伸縮方向及びそれに直交する方向において、内側シート１３と外側シート１４とを間欠的に固着する多数の固着部３３が形成されており」「第１および第２弾性部材２０、２１の残余部２６、２７は、内側シート１３と外側シート１４とに固着されておらず、それらシート１３、１４から遊離しており」は、本願発明の複合伸縮部についての「外層シート及び内層シートが複合伸縮部の伸縮方向及びそれに直交する方向において間欠的な接合部により互いに接合され、弾性部材が該接合部を通らないように配される」との要件を満たす。
　引用発明の第２弾性部材２１についての「残余部２６、２７は、内側シート１３と外側シート１４とに固着されておらず、それらシート１３、１４から遊離しており」及び「第２弾性部材２１の中央部２５は、内側シート１３と外側シート１４とに固着されておらず、それらシート１３、１４から遊離しており」は、本願発明の複合伸縮部についての「弾性部材の両端部を除いた部分において外層シート及び内層シートに固定されておらず」との要件を満たす。
　すると、引用発明の「ベースシート２の前後胴周り域４、６における胴周り用弾性部材１５と脚周り開口１２との間には、前後胴周り域４、６の全周に亘って、縦方向へ所与寸法離間して胴周り方向へ延びる複数条の補助弾性部材１６が収縮可能に取り付けられ」「補助弾性部材１６は、胴周り用弾性部材１５の直下に位置する複数条の第１弾性部材２０と、第１弾性部材２０の直下に位置する複数条の第２弾性部材２１とから形成されており」「第１および第２弾性部材２０、２１は、ベースシート２の側縁９近傍に延びる両端部２２、２３と、パネル３を横切る中央部２４、２５と、パネル３の両側部８の外側に位置して両端部２２、２３と中央部２４、２５との間に延びる残余部２６、２７とを有し」「第１及び第２弾性部材２０、２１の、ベースシート２の側縁９近傍に延びる両端部２２、２３は、内側シート１３の外面と外側シート１４の内面とに固着され」「残余部２６、２７の部分においては、第１及び第２弾性部材２０、２１の伸縮方向及びそれに直交する方向において、内側シート１３と外側シート１４とを間欠的に固着する多数の固着部３３が形成されており」「第１および第２弾性部材２０、２１の残余部２６、２７は、内側シート１３と外側シート１４とに固着されておらず、それらシート１３、１４から遊離しており」「第２弾性部材２１の中央部２５は、内側シート１３と外側シート１４とに固着されておらず、それらシート１３、１４から遊離しており」と、
　本願発明の「胴回りギャザーは、胴回り部の全周に亘って、複合伸縮部から形成されており」「複合伸縮部は、外層シート及び内層シートが複合伸縮部の伸縮方向及びそれに直交する方向において間欠的な接合部により互いに接合され、弾性部材が該接合部を通らないように配されると共に弾性部材の両端部を除いた部分において外層シート及び内層シートに固定されておらず、外層シート及び内層シートそれぞれが各々複数本の弾性部材に亘って連続して延びる複数本の襞を形成することにより構成されており、前記弾性部材の両端部は、一対のサイドシール部において外層シートと内層シートとの間に固定されており」とは、
　胴回りギャザーは、胴回り部の全周に亘って形成されており、かつ、外層シート及び内層シートが伸縮部の伸縮方向及びそれに直交する方向において間欠的な接合部により互いに接合され、弾性部材が該接合部を通らないように配されると共に弾性部材の両端部を除いた部分において外層シート及び内層シートに固定されておらず、前記弾性部材の両端部は、一対のサイドシール部において外層シートと内層シートとの間に固定されている伸縮部を備える限りにおいて一致する。
　
　７．一致点、相違点
　以上の対比から、本願発明と引用発明とは、本願発明の記載に倣うと以下の一致点で一致し、次の相違点１ないし４で相違する。
　
　　《一致点》
　吸収性コアを含む吸収性本体と吸収性本体の非肌当接面側に接合された外包材とを備え、外包材は長手方向に腹側部、股下部及び背側部に区分されており、外包材における腹側部及び背側部の両側縁部同士が接合されて一対のサイドシール部、ウエスト開口部及び一対のレッグ開口部が形成されているパンツ型使い捨ておむつであって、
　吸収性本体の長手方向端部は、外包材の長手方向端部よりも長手方向内方に後退しており、
　外包材は、外層シート、内層シート及び両シート間に配設された複数本の弾性部材から形成されており、
　外包材の腹側部及び背側部における胴回り部及びウエスト部には、その全周に亘って前記弾性部材が配設されることにより、それぞれ、胴回りギャザー及びウエストギャザーが設けられており、
　胴回りギャザーは、胴回り部の全周に亘って形成されており、かつ、外層シート及び内層シートが伸縮部の伸縮方向及びそれに直交する方向において間欠的な接合部により互いに接合され、弾性部材が該接合部を通らないように配されると共に弾性部材の両端部を除いた部分において外層シート及び内層シートに固定されておらず、前記弾性部材の両端部は、一対のサイドシール部において外層シートと内層シートとの間に固定されている伸縮部を備え、
　吸収性本体は外包材の内層シートに胴回りギャザーの伸縮部と部分的に重なるように接合されている
　パンツ型使い捨ておむつ。
　
　《相違点１》
　本願発明では、胴回りギャザーは、複合伸縮部から形成されており、
　該複合伸縮部は、外層シート及び内層シートが複合伸縮部の伸縮方向及びそれに直交する方向において間欠的な接合部により互いに接合され、弾性部材が該接合部を通らないように配されると共に弾性部材の両端部を除いた部分において外層シート及び内層シートに固定されておらず、外層シート及び内層シートそれぞれが各々複数本の弾性部材に亘って連続して延びる複数本の襞を形成することにより構成されており、弾性部材の両端部は、一対のサイドシール部において外層シートと内層シートとの間に固定されている構成を備えるのに対し、
　引用発明では、胴回りギャザーの構成要素である補助弾性部材１６（第１及び第２弾性部材２０、２１）は、「外層シート及び内層シートそれぞれが各々複数本の弾性部材に亘って連続して延びる複数本の襞を形成することにより構成されており」との構成を備えることが特定されておらず、また、補助弾性部材１６のうち、第１弾性部材２０は、「弾性部材の両端部を除いた部分において外層シート及び内層シートに固定されておらず」との構成を備えていない点。
　
　《相違点２》
　本願発明では、ウエストギャザーは、少なくともウエスト部の幅方向外側部において、複合伸縮部から形成されており、ウエスト部の幅方向中央部において、複数本の弾性部材は、伸長状態で、外層シート及び内層シートの両方又は一方に接着剤で固定されており、該接着剤は、複数本の該弾性部材を外包材の長手方向に跨ぐように面状に塗工されているのに対して、
　引用発明では、胴周り用弾性部材１５は、内側シート１３と外側シート１４との間に介在し、それらシート１３、１４の内外面に間欠的に塗布されたホットメルト型接着剤３５を介して固着されている点。
　
　《相違点３》
　本願発明では、複合伸縮部の複数本の襞は、ウエスト部の幅方向外側部及び胴回り部の幅方向外側部において、外包材の長手方向に沿って、ウエスト部の外端部から胴回り部の内端部に亘って連続的に延びているのに対し、
　引用発明では、そのような構成を備えることが特定されていない点。
　
　《相違点４》
　本願発明では、吸収性本体の内層シートへの接合は、外包材を伸長状態とし且つ該外包材が縮まないように該伸長状態を維持したままで、該外包材の内層シートに吸収性本体を接合することによりなされているのに対し、
　引用発明では、そのような構成を備えることが特定されていない点。
　
　８．相違点の検討
（１）相違点１について
　まず、「弾性部材の両端部を除いた部分において外層シート及び内層シートに固定されておらず」という点について検討すると、拒絶理由に引用した引用例２（特開２００４−８９４７９号公報）には、パンツ型の使い捨て着用物品の発明で、液吸収パネル２５が位置する部位１７の略全域において、補助弾性部材１９の間を縦方向と胴周り方向とヘ所与寸法離間して、内側シート６と外側シート５とを多数の固着部２０で固着する構成が記載されており（段落【００２２】、【００２７】、【００２８】及び図１、２を参照）、補助弾性部材１９の間に位置する多数の固着部２０が補助弾性部材１９の縦方向への移動を阻止（防止）するものである（段落【００４０】、【００５６】を参照）。
　引用発明も、着用中に補助弾性部材補助弾性部材の中央部が縦方向へずれ動き、一箇所に集まることを防止するものであるから（引用例１の段落【０００４】、【０００５】を参照）、引用発明に、引用例２に記載の上記構成を適用して、第１弾性部材２０についても、「弾性部材の両端部を除いた部分において外層シート及び内層シートに固定されておらず」という構成にすることは、当業者が容易に推考し得たことである。また、引用例１に開示された構成では、第２弾性部材２１の中央部２５には、間欠的に固着する多数の固着部３３が形成されていないが、引用発明の第２弾性部材２１の中央部２５についても、引用例２に記載された上記構成を適用して、間欠的に固着する多数の固着部とする構成とすることも、当業者が容易に推考し得たことである。
　次に、襞について検討すると、引用例１には、内側シート１３と外側シート１４のそれぞれが各々複数本の弾性部材に亘って連続して延びる複数本の襞を形成することは明記されていない。しかし、２枚のシート材と、これら両シート材間に配された複数本の弾性部材とを有し、該２枚のシート材は、前記弾性部材の伸縮方向及びそれに直交する方向において間欠的に互いに接合されており、前記弾性部材は、両シート材同士の接合部を通らないように配されており、かつ、その両端部において両シート材に固定されている構成では、該間欠的な接合の間隔が適宜であれば、両シート材のそれぞれが、各々複数本の弾性部材に亘って連続して延びる複数本の襞を形成するようになることは、例えば、引用例３の記載などから、当業者にとって明らかな事項である。
　仮に、引用発明では、必ずしも、内側シート１３と外側シート１４のそれぞれが各々複数本の弾性部材に亘って連続して延びる複数本の襞を形成しているといえないとしても、多数の固着部３３の胴回り方向の間隔を適宜の細かさにすることにより、内側シート１３と外側シート１４のそれぞれが各々複数本の弾性部材に亘って連続して延びる複数本の襞を形成するようになることは、当業者にとって自明であるから、外層シート及び内層シートそれぞれが各々複数本の弾性部材に亘って連続して延びる複数本の襞を形成することは、当業者が適宜なすべき単なる設計的事項である。
　
（２）相違点２について
　拒絶理由に引用した引用例３（特開２００５−８０８５９号公報）には、本願発明と同じ構成の複合伸縮部を、使い捨ておむつのウエスト回り伸縮部２２として使用することが記載されている（【請求項１】、【００３８】、図４を参照）。
　また、使い捨ておむつのウエスト部の幅方向中央部において、弾性部材を伸長状態で、外層シート及び内層シートの両方又は一方に接着剤で固定することは、例えば、原審の平成２２年８月２３日付け拒絶理由通知書において引用文献５として提示された特開２０００−１０７２２３号公報に記載されており、周知の技術的事項である（段落【００１３】の「コア４の両側縁部４ａの間の部分Ｗ１に位置する弾性部材５，６の第１部分は、トップシート２とバックシート３との間に介在し、これらシート２，３の内面にそれら部材５，６の幅方向全長にわたって連続して接合されている。」、【００１４】の「弾性部材５，６は、かかる部分Ｗ１において収縮力が実質的に非発現状態にある。弾性部材５，６の収縮力を実質的に非発現状態にするには、たとえば、接着剤を用いて弾性部材５，６を接着する場合、硬化させた接着剤の剛性を利用する。」、【００１９】の「コア４の両側縁部４ａの間の部分Ｗ１では、弾性部材５，６の収縮力が作用しないので、ギャザーは形成されず、コア４に皺がよることはない。」及び図３を参照）。
　引用例３に記載された、使い捨ておむつのウエスト回り伸縮部に複合伸縮部を使用するという技術的事項と、使い捨ておむつのウエスト部の幅方向中央部において、弾性部材を伸長状態で、外層シート及び内層シートの両方又は一方に接着剤で固定するという上記周知の技術的事項を、同時に適用することに阻害要件はなく、かつ、同時に適用したことによって奏する作用効果は、それぞれの技術的事項が奏する作用効果の総和であって、格別の相乗効果が奏されるものでもない。また、ウエスト部の幅方向中央部において、弾性部材を伸長状態で、接着剤で固定するに際し、接着剤をどのように塗工するかは、当業者が適宜決定すべき単なる設計的事項であり、接着剤を複数本の弾性部材を外層シート及び内層シートの長手方向に跨ぐように面状に塗工することによって、格別の作用効果が奏されるものでもない。
　したがって、引用発明に、引用例３に記載された上記事項と、上記周知の技術的事項とを適用し、接着剤の塗工について適宜の設計変更を行うことにより、相違点２に係る本願発明の構成とすることは、当業者が容易に推考し得たことである。
　
（３）相違点３について
　連続して延びる複数本の襞を形成する場合、それら襞が全体として連続的に延びている構成を好ましいと感じる消費者が多数存在すると考えられるし、拒絶理由に引用した引用例４（特開平６−９０９７９号公報）には、使い捨てオムツの長手方向に沿って、ウエスト部の外端部から胴回り部の内端部に亘って連続的に延びる襞を設けた構成が示されている。
　したがって、引用発明においても存在すると認められる、複数本の弾性部材に亘って連続して延びる複数本の襞を、ウエスト部の外端部から胴回り部の内端部に亘って連続的に延びるようにすることは、当業者が容易に推考し得たことである。
　
（４）相違点４について
　外包材を伸長状態とし且つ該外包材が縮まないように該伸長状態を維持したままで、該外包材の内層シートに吸収性本体を接合することは、使い捨ておむつの技術分野における慣用手段である。引用発明に、この慣用手段を適用することは、当業者が容易に推考し得たことである。
　
（５）本願発明の作用効果について
　本願発明が全体として奏する作用効果は、引用発明、引用例２ないし引用例４に記載された技術的事項、周知の技術的事項及び慣用手段から、当業者が予測できたものであって、格別顕著なものとはいえない。
　したがって、本願発明は、引用発明、引用例２ないし引用例４に記載された技術的事項、周知の技術的事項及び慣用手段に基いて、当業者が容易に発明をすることができたものである。
　
　９．むすび
　以上のとおりであるから、本願発明は、特許法第２９条第２項の規定により特許を受けることができないものであり、他の請求項に係る発明について検討するまでもなく、本願は拒絶されるべきものである。
　よって、結論のとおり審決する。